(57)【要約】      （修正有）【課題】乗客コンベアの移動手摺にいたずら等により過大な力が発生すると、機器の故障や事故が起こる可能性があるので、移動手摺駆動装置に駆動力を供給しているチェーンの張力を簡単に直接的に監視できる乗客コンベアの安全装置を提供する。【解決手段】移動手摺２に発生する力を移動手摺駆動装置３に駆動力を伝達するメインチェーン５の張力をスプロケット６，７、レバー１０，１１、ばね１２，１３を用いて大きな変位量に変換し、この変位量を検出手段１４，１５を用いて測定することで、より高精度な異常監視を可能とした。【選択図】図１
2006290520.tif 000002
【特許請求の範囲】
【請求項１】
乗客を搬送する踏み面を有するステップ，ステップの両端に配置される欄干、欄干上を走行路として前述したステップと同期して移動可能な移動手摺、移動手摺をステップと同一速度で移動させる移動手摺駆動装置、移動手摺駆動装置の構成部品で装置のプレートに配置され、前述した移動手摺に鉛直方向の加圧が可能な移動手摺駆動ローラ、移動手摺駆動装置の構成部品で装置のプレートの下端部に配置されるダブルスプロケット、駆動ローラとダブルスプロケットを繋ぎ駆動力を共有するドライブチェーン、これらを配置するプレートを支持し鉛直方向に駆動装置を滑らかに移動可能とするガイドピン、ステップを駆動させるターミナルギヤ、ターミナルギヤと同一軸上に配置され、駆動力を共有するスプロケット、このスプロケットとダブルスプロケット間に配置され駆動力を伝達するメインチェーン、これらの移動手摺駆動機構を格納するフレームを有する乗客コンベアにおいて、
メインチェーンの向きを変化させるスプロケットの軸を回転支持するとともにフレームに回転支持されるレバーと、レバーのスプロケットが取付いている部分に接するようフレームに固定され、スプロケットを介してチェーンに加圧する押しばねと、前記レバーが所定の変位に達したことを検出するスイッチと、前記スイッチのそれぞれの出力を取り込み、乗客コンベアを停止させる乗客コンベア停止手段とを有することを特徴とする乗客コンベアの安全装置。
【発明の詳細な説明】
【技術分野】
【０００１】
本発明は移動手摺を有する乗客コンベアに係り、特に移動手摺の駆動力の伝達にチェーンを用いているものに関する。
【背景技術】
【０００２】
チェーンを用いている移動手摺駆動装置は、移動手摺の移動方向と相反する力が過度に働いた場合、その力に比例しチェーンの張力が増大する構造となっている。そのため、その張力があまりにも過大な時は、ダブルスプロケットの軸が曲損したり、チェーンの切断等の事故が発生していた。
【０００３】
そのため従来は移動手摺駆動装置のプレートの異常な変位をセンサーで検出し、事故が発生する前に電気的に停止させていた（特許文献１参照）。
【特許文献１】特開平０７−２７７６５６（段落２３〜３０）。
【発明の開示】
【発明が解決しようとする課題】
【０００４】
これらの背景技術によれば、移動手摺に移動手摺の進行方向と逆に相反する過大な力が発生してもプレートの変位量を監視することで事故発生前に乗客コンベアを停止させることは可能である。しかしこの変位量は駆動ローラが移動手摺を押付けることで発生する移動手摺の弾性変形量であり非常に微小なものである。そのためセンサーの調整が困難であったり移動手摺の製作誤差で誤作動する恐れがあった。
【０００５】
本発明は上記問題を解決するためになされたもので、その目的は、移動手摺駆動装置に駆動力を供給しているチェーンの張力を簡単に直接的に監視できる乗客コンベアの安全装置を提供するにある。
【課題を解決するための手段】
【０００６】
上記目的を達成するために、本発明では、メインチェーンの向きを変化させるスプロケットの軸を回転支持するとともにフレームに回転支持されるレバーと、レバーのスプロケットが取付いている部分に接するようフレームに固定され、スプロケットを介してメインチェーンに加圧する押しばねと、前記レバーの所定の変位を検出するスイッチと、スイッチの出力を取り込み停止させる乗客コンベア停止手段とを含んで乗客コンベアの安全装置を構成したことを特徴とする。
【０００７】
以上の構成を設けることで、移動手摺の進行方向に相反する過大な力が増大した場合、移動手摺駆動装置に取付いている駆動ローラがスリップしない限り、駆動装置に駆動力を供給しているメインチェーンの張力が増大する。この時メインチェーンは張力の増大に伴いスプロケットとダブルスプロケット間を直線的にする力が発生する。この力によって、スプロケット、スプロケットを上方に押し上げ、その結果、スイッチにレバーが接触して、乗客コンベアを停止させることができる。
【発明の効果】
【０００８】
以上の構成を用いることで簡単に移動手摺２に発生する力を測定することができ、より高精度な監視が可能となり、安全性の高い乗客コンベアの安全装置を提供することができる。
【発明を実施するための最良の形態】
【０００９】
従来、移動手摺にいたずら等により進行方向と逆に過大な力が発生した場合の防止策として、特開平７−２７７６５６に開示されているように、移動手摺駆動装置３の駆動ローラ取付プレート３ｂの変位量を検出し、ダブルスプロケットが折損する前に電気的に停止させていた。
【００１０】
しかしこの変位量は駆動ローラが移動手摺を押付けることで発生する移動手摺の弾性変形量であり非常に微小なものである。そのためセンサーの調整が困難であったり移動手摺の製作誤差で誤作動する恐れがあった。
【００１１】
そこで、本発明ではこの過大な力の発生に対する変化の度合いが大きいチェーン５の張力に着目し、以下に示す構成を立案した。
【００１２】
以下本発明を図面を用いて詳細に説明する。図１は本発明の実施の形態を示し、図２は図１に示す移動手摺駆動装置の断面図である。
【００１３】
乗客を搬送する踏み面を有するステップ１、ステップの両端に配置される欄干１ａ、欄干上を走行路として前述したステップ１と同期して移動可能な移動手摺２、移動手摺２をステップ２と同一速度で移動させる移動手摺駆動装置３、移動手摺駆動装置３の構成部品で装置のプレート３ｂに配置され、前述した移動手摺２に鉛直方向の加圧が可能な移動手摺駆動ローラ３ａ、移動手摺駆動装置３の構成部品で装置のプレート３ｂの下端部に配置されるダブルスプロケット４、駆動ローラ３ａとダブルスプロケット４を繋ぎ駆動力を共有するドライブチェーン４ａ、これらを配置するプレート３ｂを支持し鉛直方向に駆動装置を滑らかに移動可能とするガイドピン４ｂ、ステップ１を駆動させるターミナルギヤ８ａ、ターミナルギヤ８ａと同一軸上に配置され、駆動力を共有するスプロケット８、スプロケット８とダブルスプロケット４間に配置され駆動力を伝達するメインチェーン５、これらの移動手摺駆動機構を格納するフレーム９を有する乗客コンベアにおいて、
メインチェーン５の向きを変化させるスプロケット６、スプロケット７、スプロケット６、スプロケット７の軸を回転支持し、他端部をフレーム９に回転支持されるレバー１０，レバー１１，レバー６，レバー７のスプロケット６，スプロケット７が取付いている部分に接し、他端部をフレーム９に固定され、スプロケット６，スプロケット７をメインチェーン５に加圧する押しばね１２，押しばね１３，レバー１０，レバー１１が所定の変位に達したことを検出するスイッチ１４，スイッチ１５，スイッチ１４，スイッチ１５のそれぞれの出力を取り込み、乗客コンベアを停止させる乗客コンベア停止手段１６である。
【００１４】
以上の構成を設けることで、移動手摺２の進行方向に相反する過大な力が増大した場合、移動手摺駆動装置３に取付いている駆動ローラ３ａがスリップしない限り、駆動装置３に駆動力を供給しているチェーン５の張力が増大する。この時チェーン５は張力の増大に伴いスプロケット８とダブルスプロケット４間を直線的にする力が発生する。この力によって、スプロケット６，スプロケット８を上方に押し上げ、その結果、検出手段１４，検出手段１５にレバー１１，レバー１２が接触して、乗客コンベアを停止させることができる。この時ばね１３，ばね１４に発生する力を小さくすることで、安全サイドに設定することや移動手摺２の寿命を延命させることが可能である。また、逆に都市交通等ラッシュ時に乗客コンベアを急激に停止させることが安全面より好ましくない場合等は、乗客コンベアを停止させる代わりに警報等を発生させることも可能である。
【００１５】
本実施例の形態は傾斜型の乗客コンベアについて述べたが、水平な物につても同様の効果を得ることが出来る。
【００１６】
以上の構成を用いることで簡単に移動手摺２に発生する力を測定することができ、より高精度な監視が可能となり、安全性の高い乗客コンベアの安全装置を提供することができる。
【図面の簡単な説明】
【００１７】
【図１】本発明の実施の形態の説明図。
【図２】図１に示す移動手摺駆動装置の断面図。
【符号の説明】
【００１８】
１  ステップ
１ａ  欄干
２  移動手摺
３  移動手摺駆動装置
３ａ  移動手摺駆動ローラ
３ｂ  プレート
４  ダブルスプロケット
４ａ  ドライブチェーン
４ｂ  ガイドピン
５  メインチェーン
６  スプロケット
７  スプロケット
８  スプロケット
８ａ  ターミナルギヤ
９  フレーム
１０  レバー
１１  レバー
１２  押しばね
１３  押しばね
１４  スイッチ
１５  スイッチ
１６  乗客コンベア停止手段
【図１】
2006290520.tif 000003
【図２】
2006290520.tif 000004